(57)【特許請求の範囲】
【請求項１】
カップ形状を成すように立体成型された左右一対のカップ部と、
このカップ部の脇側縁部に連結される左右一対の脇部と、
前記脇部に続く左右一対の伸縮性を有するバック部と、
前記カップ部の上縁部にその端部が取り付けられる左右一対の肩ストラップと、
を備えるカップ付き女性用衣類において、
前記カップ部と前記脇部は、前記カップ部の脇寄り部分から、前記脇部における前記バック部に続く部分までを覆うと共に、可撓性と保形性を有する非伸縮性のパネル部材を含んで構成され、
前記パネル部材の前側縁部は、その上端が前記カップ部における前記肩ストラップの取り付け部分に位置し、その下端が着用状態で前記肩ストラップを引き方向に延長した下辺部分にそれぞれ位置しており、
さらに、前記パネル部材の後側縁部は、着用者の脇の背側における前鋸筋部分に位置しており、前記カップ部の下縁にはカップワイヤーが湾曲して設けられ、前記パネル部材においては、前記カップ部の脇寄り部分よりも前記脇部での保形性が高く構成されている
ことを特徴とするカップ付き女性用衣類。
【請求項２】
前記パネル部材の前記前側縁部は、前記肩ストラップを前記引き方向に延長したラインに沿うようにされていることを特徴とする請求項１記載のカップ付き女性用衣類。
【請求項３】
前記パネル部材の前記前側縁部は、その上端と下端の間の部分が、前記肩ストラップを前記引き方向に延長したラインの前中心側に張り出す凸形状とされていることを特徴とする請求項１記載のカップ付き女性用衣類。
【請求項４】
前記パネル部材の前記前側縁部は、その上端と下端の間の部分が、前記肩ストラップを前記引き方向に延長したラインの脇側に引き込む凹形状とされていることを特徴とする請求項１記載のカップ付き女性用衣類。
【請求項５】
前記パネル部材には、前記脇部の下部からバストトップに向う方向に延びる補強部材が付設されていることを特徴とする請求項１〜４のいずれか記載のカップ付き女性用衣類。
【請求項６】
前記パネル部材の下辺部は、前記脇部の下辺部に一致していることを特徴とする請求項１〜５のいずれか記載のカップ付き女性用衣類。
【発明の詳細な説明】
【０００１】
【発明の属する技術分野】
本発明は、ブラジャーのようなカップ付き女性用衣類に関し、特に詳細にはブラジャー、ボディスーツ、ボディシェーバー、水着等の姿勢矯正用のカップ付き女性用衣類に適用される。
【０００２】
【従来の技術】
カップ付き女性用衣類の代表例であるブラジャーは、一般的にはバストの形状を整えて美しいプロポーションを創るものである。例えば、特開平９−３２４３０５号公報では、カップ部から脇部を非伸縮の素材で構成したブラジャーが開示されている。このブラジャーでは、乳房を形良くボリューム感をもって持ち上げることができる、とされているが、脇部が短くて肋骨を幅広く覆うことができず、肩ストラップで胸部全体を引き上げることができない。
【０００３】
一方、前かがみになりがちな姿勢を正しくする矯正効果や、落ち肩を持ち上げるような矯正効果を狙ったカップ付き女性用衣類として、姿勢矯正用のブラジャーも知られている。特開平９−３７０８号公報や特開平１１−１５２６０８号公報は、その代表例である。
【０００４】
前者の公報のブラジャーでは、肩ストラップは伸縮性のテープによってループ状に構成されており、脇の下の側鋸筋を直接上方に引き上げ、姿勢を矯正するようにしている。後者の公報のブラジャーでは、ショルダーストラップの形状をギリシャ小文字のロー型とすることで、脇の下から胸元にかけての筋肉を前方向から肩方向に引き上げ、肩下がりの矯正や前かがみの姿勢矯正を実現している。
【０００５】
【発明が解決しようとする課題】
しかし、これら従来の姿勢補正用のブラジャーは、肩を無理に後方に引くことで猫背型の姿勢を矯正しようとしているが、顎が突き出してしまうだけで充分に脊柱を直立させるのが困難である。また、特殊な形状をしているので日常生活での着用に適さず、脊柱の動きを阻害するので日常の動作に支障がある。
【０００６】
そこで本発明は、着用者の脊柱を直立させる効果が高く、脊柱の動きを阻害しない姿勢矯正用のカップ付き女性用衣類を提供することを目的とする。
【０００７】
【課題を解決するための手段】
本発明者は、理学療法士が患者の姿勢を正す時の状態と、人が深呼吸したり背筋を伸ばす時の状態とを比較した。理学療法士が患者の姿勢を正す時は、患者の背後から胸郭を両手で挟むように持ち上げる。この時の胸郭の動きは深呼吸（吸気）時と同じであり、人が姿勢を良くしたいと思って背筋を伸ばし、胸を張った状態とも同じである。
【０００８】
つまり、図１（ａ）に示すような猫背あるいは力が抜けたような姿勢の人でも、深呼吸したり背筋を伸ばして胸を張ると、図１（ｂ）のように姿勢が良くなる。図２で模式的に示す通り、胸郭が前上方向（図２の点線の状態から実線の状態に向う矢印方向）に持ち上げられて胸椎後湾の曲率が小さくなり、猫背が解消されるためである。その時、胸部が変化する動作の支点は第１０胸椎であり、これは概ね後アンダーバスト点（ブラジャーの後カンが位置する点）に相当する。
【０００９】
そこで本発明者は、理学療法士が患者の胸郭を後方から両手で持ち上げて姿勢を矯正する場合のように、胸郭の脇の位置（図３に示す人体の広背筋と大胸筋の間、前鋸筋の位置）を外側からしっかりと押さえ、それを前上方向（図４で矢印にて示す方向で、肋骨と直角に近い角度で交叉する方向）に持ち上げる構造を採用すれば、脊柱の動きを阻害することなく脊柱を直立させ得るのではないか、との知見を得て、本発明を完成した。
【００１０】
本発明は、カップ形状を成すように立体成型された左右一対のカップ部と、  このカップ部の脇側縁部に連結される左右一対の脇部と、脇部に続く左右一対の伸縮性を有するバック部と、カップ部の上縁部にその端部が取り付けられる左右一対の肩ストラップと、を備えるカップ付き女性用衣類において、カップ部と脇部は、カップ部の脇寄り部分から、脇部におけるバック部に続く部分までを覆うと共に、可撓性と保形性を有する非伸縮性のパネル部材を含んで構成され、パネル部材の前側縁部は、その上端が前記カップ部における肩ストラップの取り付け部分に位置し、その下端が着用状態で肩ストラップを引き方向に延長した下辺部分にそれぞれ位置しており、さらに、パネル部材の後側縁部は、着用者の脇の背側における前鋸筋部分に位置しており、カップ部の下縁にはカップワイヤーが湾曲して設けられ、パネル部材においては、カップ部の脇寄り部分よりも脇部での保形性が高く構成されていることを特徴とする。
【００１１】
この発明によれば、非伸縮性のパネル部材が着用者の肋骨を幅広く覆い、パネル部材の前側上端部が肩ストラップによって上方に引き上げられるので、着用者の第１０胸椎を支点として胸郭を前上方向へ引き上げることができる。このため、深呼吸の吸気時のように背筋を伸ばして胸を張った状態が実現できるので、無理なく脊柱を直立させて姿勢を矯正できる。
また、カップ部の下縁にはカップワイヤーが湾曲して設けられ、パネル部材はカップ部よりも脇部での保形性が高く構成されていることを特徴としている。このようにすれば着用者の肋骨を挟んで押さえる力を大きくしながら、バストに無理な負荷が加わるのを防止できる。
【００１２】
本発明に係るカップ付き女性用衣類において、パネル部材の前側縁部は、肩ストラップを引き方向に延長したラインに沿うようにされていることを特徴としても良く、このようにすれば肩ストラップの引き力が効果的にパネル部材の前縁部に伝わる。
【００１３】
本発明に係るカップ付き女性用衣類において、パネル部材の前側縁部は、その上端と下端の間の部分が、肩ストラップを引き方向に延長したラインの前中心側に張り出す凸形状とされていることを特徴としても良く、このようにすれば胸部側面をより大きな面積で覆うことができ、効果が増大する。
【００１４】
本発明に係るカップ付き女性用衣類において、パネル部材の前側縁部は、その上端と下端の間の部分が、肩ストラップを引き方向に延長したラインの脇側に引き込む凹形状とされていることを特徴としても良く、このようにすれば肩ストラップが上方に引かれると凹形状の部分が直線形状になろうとし、脇部がより密着する。
【００１５】
本発明に係るカップ付き女性用衣類において、パネル部材の後側縁部は脇部の背側部分に位置し、その上端がその下端の前側に位置するライン状にされ、あるいは着用状態において着用者の肋骨と概ね直交するライン状にされていることを特徴としても良く、特に着用者の肋骨に対してパネル部材の後側縁部のラインが直交するように構成すると、脇を前上方向に持ち上げる効果が高まる。その際、パネル部材の後側縁部は脇部・背側部分の前鋸筋の上を通り、広背筋近傍に達することが必要である。
【００１７】
本発明に係るカップ付き女性用衣類において、パネル部材には、脇部の下部からバストトップに向う方向に延びる補強部材が付設されていることを特徴としても良く、このようにすればパネル部材をより着用者の体に密着させ、胸郭を持ち上げる作用を大きくできる。
【００１８】
本発明に係るカップ付き女性用衣類において、カップ部はノンワイヤー型であり、補強部材は脇部の下部からパネル部材の前側縁部に延び、かつ当該補強部材はカップ部よりも脇部での保形性が高く構成されていることを特徴としても良く、このようにすれば第１０胸椎を支点とする胸郭の持ち上げ作用を高め得る。
【００１９】
本発明に係るカップ付き女性用衣類において、パネル部材の下辺部は、前記脇部の下辺部に一致していることを特徴としても良く、このようにすれば胸郭の持ち上げ作用を更に高め得る。
【００２０】
【発明の実施の形態】
実施形態の説明に先立ち、図５の模式図により基本型を説明すると、ポイントは三点となる。
【００２１】
第１に、シート状のパネル部材（太い実線の部分）により、肋骨をできるだけ広く覆う。具体的には、体の曲率が最も大きい部位（脇の背側）付近から、脂肪や筋肉が多くなる部位（バストや大胸筋）の手前（バージスラインの辺り）までを、幅広く覆うようにする。図５では、肋骨４本分の範囲を覆っているが、大胸筋と広背筋の間の部分である前鋸筋近傍が最も肋骨をつかみ易い（図５の▲１▼）。
【００２２】
第２に、リジッドなパネル部材により、肋骨を挟んで押さえる。ハリとコシがあって伸縮性の少ないダブルラッセル、パワーネット、圧縮不織布、樹脂等の素材でパネル部材を構成し、ブラジャーの脇部からカップ部の脇側部分の構成要素として用いる。着用者の胸郭の脇をしっかりと掴んで押さえるパワーを増大すべく、パネル部材にボーンやワイヤー等の芯材を付加しても良い。
【００２３】
第３に、シート状の非伸縮性パネル部材により、肋骨を前上方向に持ち上げる（図５の▲２▼）。パネル部材を脇部とカップ部で一体構成とし、パネル部材の前側縁部を肩ストラップの引き上げ方向と一致させることで、肩ストラップの引き上げ力（図５の▲３▼）が脇部のパネル部材に効率よく伝達する構造とする。
【００２４】
以下、本発明の実施形態を図面に基づき説明する。なお、同一要素には同一符号を付し、重複する説明を省略する。
【００２５】
図６は実施形態のワイヤー型ブラジャーを示す斜視図である。それぞれ下縁湾曲部にカップワイヤー１１を有する左右一対のカップ部１と、前中心部２１からアンダー部分２２を経て脇部２３までを含む土台部２と、土台部２の背側に続くバック部３と、カップ部１の上縁部とバック部３の間に掛け渡された左右一対の肩ストラップ４と、を主要なパーツとして構成されている。なお、伸縮性（特に左右に引く方向の伸縮性）を有するバック部３の背中の部分には、係脱自在のホック（図示せず）が取り付けられている。
【００２６】
カップ部１は丸みを帯びた円錐形に類似のカップ形状に立体成型されている。土台部２は伸縮性（特にバック部３によって左右に引かれる方向の伸縮性）を有する素材を含んで形成され、前中心で左右のパーツが互いに縫着されて左右一体の土台部２を構成している。土台部２は着用者のバスト下部（いわゆるバージスラインの下部）にフィットするように凹型に湾曲した上縁湾曲部を有し、この上縁湾曲部がカップ部１の下縁湾曲部と対向し、互いに縫着されている。
【００２７】
図６のブラジャーの特徴は、カップ部１の脇寄り部分から脇部２３の背側部分までを覆うパネル部材５を含んで構成されている点である。パネル部材５は可撓性と保形性を有する非伸縮性の素材、例えばダブルラッセルのようなハリとコシのある生地により構成される。パネル部材５の保形性に関しては、脇部２３においては高めとし、カップ部１では低めとしても良い。カップ型ブラジャーでは、バージスラインに沿うカップワイヤーがカップ部１の保形性を高めて、肩ストラップ４の引き上げ力を脇部２３に伝達する役目（パネル部材５を脇に密着させて肋骨を持ち上げやすくする役目）を奏するためである。
【００２８】
パネル部材５は前側縁部、後側縁部、上辺部および下辺部に囲まれた形状を成し、前側縁部の上端はカップ部１における肩ストラップ４の取り付け部分Ｐ１、前側縁部の下端は着用状態で肩ストラップ４を引き方向に延長したアンダー部分２２の下辺部分Ｐ２にそれぞれ位置する。後側縁部は脇部２３の背側部分に位置し、その上端Ｐ３がその下端Ｐ４の前側に位置するライン状（垂直方向に対して傾斜したライン状）になっている。この位置は、Ｃ７０では前中心から２０〜２３ｃｍであり、肋骨に概ね直交する。
【００２９】
パネル部材５の上辺部および下辺部は、土台部２の上辺部および下辺部と一致しており、したがってパネル部材５はその前側縁部から後側縁部までの全範囲でブラジャー本体を覆っている。このため、広い範囲で肋骨をカバーし、前上方向に持ち上げることが可能になる。
【００３０】
図７は、図６の変形例を示すワイヤー型ブラジャーの斜視図である。図６と異なる点は、パネル部材５の前側縁部の形状であり、その上端Ｐ１と下端Ｐ２の間の部分が、肩ストラップ４を引き方向に延長したライン（上端Ｐ１と下端Ｐ２を結ぶライン）の前中心側に、湾曲した形状で張り出すように成形されている。肩ストラップ４の引き方向延長ライン上に上端Ｐ１と下端Ｐ２が位置しているので、引き上げ力は脇部２３のパネル部材５に効果的に伝えられる。
【００３１】
図８は、ワイヤー型ブラジャーの具体的な試作例を、裏返してダミーボディに着用させた状態で示している。同図（ａ）は正面から見た図、同図（ｂ）は背面から見た図、同図（ｃ）は側面から見た図、同図（ｄ）は斜め前方から見た図である。
【００３２】
プラスティック製のカップワイヤー１１は肌側ではなく、前側に縫い込まれている。パネル部材５は１枚の非伸縮性生地を裁断・縫製して構成され、その後側縁部は脇部の背側に位置し（同図（ｂ）、（ｃ）参照）、後側縁部の上端は下端の前側に位置する（同図（ｃ）参照）。パネル部材５の前側縁部の上端は肩ストラップ４に縫着され、その下端はバージス最下点の外側に位置する（同図（ｄ）参照）。このようにして、パネル部材５の前側縁部の上端と下端は肩ストラップ４の引き方向延長ライン上に位置し、引き上げ力は脇部２３のパネル部材５に効果的に伝えられる構造となっている。
【００３３】
図９は、実施形態に係るノンワイヤー型ブラジャーを示す斜視図である。カップワイヤーを有しない左右一対のカップ部１と、前中心部２１からアンダー部分２２を経て脇部２３までを含む土台部２と、土台部２の背側に続く伸縮性（特に左右に引く方向の伸縮性）のバック部３と、カップ部１の上縁部とバック部３の間に掛け渡された左右一対の肩ストラップ４と、バック部３の背中に取り付けられた係脱自在のホック（図示せず）を主要なパーツとして構成されている。
【００３４】
カップ部１は上カップ布と下カップ布を含み、これらを接ぎ線で縫着することによりカップ形状に立体成型される。土台部２は前中心で左右のパーツ（前中心部２１）が互いに縫着され、左右一体に構成されている。土台部２は着用者のバスト下部にフィットするように凹型に湾曲した上縁湾曲部を有し、このアンダー部分２２の上縁湾曲部がカップ部１の下縁湾曲部に縫着されている。
【００３５】
図９のノンワイヤー型ブラジャーの特徴は、パネル部材５を含んで構成される点にあり、これはカップ部１の脇寄り部分から脇部２３の背側部分までを覆っている。パネル部材５は可撓性と保形性を有する非伸縮性の素材、例えばダブルラッセルのようなハリとコシのある生地により構成されるが、伸びがない素材（マーキ等）を用いても良い。このパネル部材５の保形性は、プラスティック製のボーン等からなる補強部材５１により高められる。補強部材５１はパネル部材５の後側端部の下部からバストのトップに向う方向に延びており、脇部２３における保形性がカップ部１よりも高くされている。
【００３６】
パネル部材５は前側縁部、後側縁部、上辺部および下辺部の四辺に囲まれた形状を成し、前側縁部の上端はカップ部１における肩ストラップ４の取り付け部分Ｐ１、前側縁部の下端は着用状態で肩ストラップ４を引き方向に延長したアンダー部分２２の下辺部分Ｐ２にそれぞれ位置する。後側縁部は脇部２３の背側部分に位置し、その上端Ｐ３がその下端Ｐ４の前側に位置するライン状（着用者の肋骨と概ね直交する方向）になっている。
【００３７】
パネル部材５の上辺部および下辺部は、土台部２の上辺部および下辺部と一致しており、したがってパネル部材５はその前側縁部から後側縁部までの全範囲でブラジャー本体を覆っている。パネル部材５は保形性を有しているので、カップ部１の脇側部分からわき部３にかけての領域では、ブラジャーは滑らかに連続する立体形状となり、脇寄せの効果も期待できる。
【００３８】
図１０は、図９の変形例を示すノンワイヤー型ブラジャーの斜視図である。図９と異なる点は、パネル部材５の前側縁部の形状であり、その上端Ｐ１と下端Ｐ２の間の部分が、肩ストラップ４を引き方向に延長したラインの背側に、折れ線形状で引っ込む凹形状に構成されている。肩ストラップ４の引き方向での延長ライン上に上端Ｐ１と下端Ｐ２が位置しているので、引き上げ力は脇部２３のパネル部材５に効果的に伝えられる。
【００３９】
図１１は、ノンワイヤー型ブラジャーの具体的な試作例を、裏返してダミーボディに着用させた状態で示している。同図（ａ）は正面から見た図、同図（ｂ）は背面から見た図、同図（ｃ）は側面から見た図、同図（ｄ）は斜め前方から見た図である。
【００４０】
パネル部材５は１枚の非伸縮性生地で構成され、その後端部は脇部の背側に位置し（同図（ｂ）、（ｃ）参照）、その上端は下端の前側に位置する（同図（ｃ）参照）。パネル部材５の前側縁部の上端は伸縮性の肩ストラップ４に縫着され、その下端はバージス最下点に位置する（同図（ｄ）参照）。補強部材５１はパネル部材５の後側端部の下部からバストのトップに向う方向に延びており、バージスラインＢＬの外側（脇側）と内側（カップ側）で構成が異なっている。すなわち、バージスラインＢＬの外側では樹脂製のボーンをバイヤステープで縫い込んで構成され、内側ではバイヤステープを縫着するだけで構成されている。このように、パネル部材５は補強部材５１により脇を押さえるパワーが高められ、その前側縁部の上端と下端は肩ストラップ４の引き方向延長ライン上に位置しているので、引き上げ力は脇部２３のパネル部材５に効果的に伝えられる。
【００４１】
試作例のブラジャーで着用感テストを行ったところ、若い年齢層も中年層も、いずれも良好な結果が得られた。若年層は「姿勢を良くしてプロポーションを良くしたい」と希望し、中年層は「姿勢を良くして健康的に暮らしたい」と希望するのが、姿勢矯正用のブラジャーに対する一般的な需要であるが、いずれの年齢層についても「呼吸が楽」、「呼吸がしやすい」、「動作しやすい」、「肩が動かしやすい」という結果が得られた。胸郭が広げやすくなり、呼吸（特に吸気）動作が楽になる、という副次的効果が得られることが証明された。
【００４２】
本発明は、ブラジャーの後カンが位置する第１０胸椎を支点として、脇のシート（パネル部材）で肋骨をつかみ、リジッドなカップと肩ストラップで胸郭を持ち上げる、という点を基本構成としている。これにより、猫背タイプの人も背筋が伸び、いわゆるシャキット感を体感させ得るのである。かかる構成であれば、上記の実施形態や変形例に限らず、種々の態様が可能である。
【００４３】
例えば、補強部材は複数本のボーンを並べて構成しても良く、波形パネルで構成しても良い。また、後ホックタイプに限らず、フロントホックタイプのブラジャーでも良い。図１２に示すような、いわゆるロング丈のカップ付き女性用衣類でも良い。図１２（ａ）は着用状態を斜め前方から見た斜視図で、同図（ｂ）は着用状態を斜め後方から見た斜視図である。補強部材５１を有するパネル部材５が脇を幅広く覆っており、土台部２の下方には着用者の腹の部分にフィットする腹部６が続いている。
【００４４】
図１３はバック部３と肩ストラップ４が、いわゆるＸ字タイプとなったもので、この場合も図示しないが、補強部材を有するパネル部材が脇を幅広く覆っている。図１４は、背中当て７を有するフロントホックタイプのブラジャーを示し、同図（ａ）は正面から見た図、同図（ｂ）は側面から見た図、同図（ｃ）は背面から見た図である。左右一対のカップ部１は前中心のホック８で連結される。ボーンのような補強部材５１を有するパネル部材５が、脇からバストを幅広く覆っており、背部には所定の面積を有する背中当て７が設けられている。
【００４５】
図１５に示すような、いわゆるボディスーツ型のカップ付き女性用衣類でも良い。図１５（ａ）は着用状態を斜め前方から見た斜視図で、同図（ｂ）は着用状態を斜め後方から見た斜視図である。同図（ａ）のように、補強部材５１を有するパネル部材５が脇を幅広く覆っており、土台部２の下方には着用者の腹の部分にフィットする腹部６が続き、その下方には着用者の腰にフィットする腰部７が続いている。また、同図（ｂ）のように、バック部３は左右に分割され、中央のライン９にファスナー（図示せず）が設けられて開閉可能になり、下方は臀部８に続いている。
【００４６】
【発明の効果】
本発明に係る姿勢矯正用のカップ付き女性用衣類によれば、深呼吸の吸気時のように背筋を伸ばして胸を張った状態が実現できるので、着用者の脊柱を直立させる効果が高く、脊柱の動きを阻害しないという、優れた効果が期待できる。
【図面の簡単な説明】
【図１】図１は、背中が丸い状態から深呼吸した状態への変化を示す図である。
【図２】図２は、深呼吸により胸郭が持ち上がる状態を説明する図である。
【図３】図３は、人体における大胸筋と広背筋の位置を説明する図である。
【図４】図４は、肋骨を持ち上げて姿勢を矯正する原理を説明する図である。
【図５】図５は、本発明による姿勢矯正の原理を模式的に説明する図である。
【図６】図１は、実施形態に係るワイヤー型ブラジャーの斜視図である。
【図７】図２は、図１の変形例に係るワイヤー型ブラジャーの斜視図である。
【図８】図８は、実施形態に係るワイヤー型ブラジャーの具体的な試作例を示す図である。
【図９】図９は、実施形態に係るノンワイヤー型ブラジャーの斜視図である。
【図１０】図１０は、図９の変形例に係るノンワイヤー型ブラジャーの斜視図である。
【図１１】図１１は、実施形態に係るノンワイヤー型ブラジャーの具体的な試作例を示す図である。
【図１２】図１２は、変形例に係るブラジャーを示す図である。
【図１３】図１３は、変形例に係るブラジャーを示す図である。
【図１４】図１４は、変形例に係るブラジャーを示す図である。
【図１５】図１５は、変形例に係るブラジャーを示す図である。
【符号の説明】
１…カップ部、２１…カップワイヤー、２…土台部、２１…前中心部、２２…アンダー部分、２３…脇部、３…バック部、４…肩ストラップ、５…パネル部材、５１…補強部材、７・・・腰部、８・・・臀部。
【図１】
0004377105.tif 000002
【図２】
0004377105.tif 000003
【図３】
0004377105.tif 000004
【図４】
0004377105.tif 000005
【図５】
0004377105.tif 000006
【図６】
0004377105.tif 000007
【図７】
0004377105.tif 000008
【図８】
0004377105.tif 000009
【図９】
0004377105.tif 000010
【図１０】
0004377105.tif 000011
【図１１】
0004377105.tif 000012
【図１２】
0004377105.tif 000013
【図１３】
0004377105.tif 000014
【図１４】
0004377105.tif 000015
【図１５】
0004377105.tif 000016